(57)【特許請求の範囲】
【請求項１】
エアー生成手段を有するとともにエアーホースの一端が接続される供給接続部が設けられたエアー供給装置と、前記エアーホースの他端が接続される被供給接続部が設けられたマット部と、このマット部の内部に配設され前記被供給接続部と連結ホースを介して接続され前記エアー供給装置からのエアーの給排気によって膨縮する袋体とを備え、前記エアー供給装置により前記袋体にエアーを給排気して膨縮させて被施療部をマッサージするマット式エアーマッサージ機において、前記マット部に設けた被供給接続部をマット部の長手方向両側縁部のいずれか一方の略中央部に設け、前記マット部の内部に配設される袋体のうち少なくとも一対の袋体を長手方向中心線を対称軸とする対称位置にそれぞれ振り分けて配設するとともに、これら対称位置に配設された袋体と前記被供給接続部とをそれぞれ連結ホースによって接続し、この接続に用いた一対の前記連結ホースを略同一長さとし、前記略同一長さの連結ホースによって前記被供給接続部と接続された対称位置の前記袋体で、これらの袋体と対応する被施療部を同時に押圧してマッサージすることを特徴とするマット式エアーマッサージ機。
【発明の詳細な説明】
【０００１】
【発明の属する技術分野】
この発明は、エアー供給装置からのエアーの給排気によって膨縮する袋体によって被施療部のマッサージを行うマット式エアーマッサージ機に関する。
【０００２】
【従来の技術】
エアー供給装置からのエアーの給排気によって膨縮する袋体によって被施療部のマッサージを行うマット式エアーマッサージ機は広く知られている。
【０００３】
そして、図６に示すように従来のマット式エアーマッサージ機２００は、マット部２１０とエアー供給装置２２０とから構成されている。そして、前記マット部２１０の構成は、このマット部２１０の内部に適宜の位置決め手段で位置決めして配設された袋体２１１ａないし２１１ｈからなっており、これら袋体２１１ａないし２１１ｈにそれぞれ連結ホース２１２ａないし２１２ｈの一端側がそれぞれ接続され、また、これらエアーホース２１２ａないし２１２ｈの他端側は前記マット部２１０の長手方向に沿った一方の側縁部（以下横方向側縁部という）に取付けられた被供給接続口２１３に接続されている。
【０００４】
また、前記エアー供給装置２２０は、操作パネル等が設けられた筐体２２１とこの筐体２２１の内部に設けられた図示しないエアーコンプレッサーからなるエアー生成手段およびこのエアー生成手段から生成されたエアーを所定の順序で分配するロータリー弁等からなるエアー分配器等からなっており、また、前記筐体２２１には前記エアー分配器に図示しないエアーホースを介して接続された供給接続口２２２が設けられている。
【０００５】
そして、前記エアー供給装置２２０と前記マット部２１０とは、着脱可能なエアーホース２３０によって接続されるようになっている。つまりこのエアーホース２３０は一端側に前記供給接続口２２２に着脱可能な第一の接続部２３１を設けるとともに、他端側には前記被供給接続口２１３に着脱可能な第二の接続部２３２が設けられ、これら第一の接続部２３１と第二の接続部２３２を前記供給接続口２２２と被供給接続口２１３とにそれぞれ接続または非接続とすることにより、前記エアーホース２３０によって前記エアー供給装置２２０と前記マット部２１０とは接続または非接続とされるものである。
【０００６】
そして、使用者がマッサージをしない場合つまり不使用時に前記エアーホース２３０は、収納の便を図るためにエアー供給装置２２０と前記マット部２１０から取り外されており、使用する際にこのエアーホース２３０を前記第一の接続部２３１と第二の接続部２３２を前記供給接続口２２２および被供給接続口２１３に接続して使用するものである。
【０００７】
ところで、前記被供給接続口２１３は、マット部２１０の横方向側縁部に設けられていることから、使用時に前記エアーホース２３０を介して接続されるエアー供給装置２２０は、前記被供給接続口２１３が設けられている側にしか置くことができないものである。何故ならば被供給接続口２１３が設けられている側と反対側にエアー供給装置２２０を置くとエアーホース２３０がマット部２１０の上面を横切ることになり使用者の上にエアーホース２３０が載ることになるからである。
【０００８】
したがって、マット部２１０とエアー供給装置２２０の配置関係が特定されるため家庭内での部屋における家具等の配置等によって、前記特定される配置関係のため使い勝手が悪いという問題がある。
【０００９】
また、被供給接続口２１３が横方向側縁部に設けられていることから、例えば身体の対称位置にある脇腹等をマッサージするための一対の袋体を、マット部２１０に長手方向中心線を対称軸とした対称位置にそれぞれ振り分けて配設し、これら袋体のそれぞれを前記被供給接続口２１３と連結ホースによって接続するようにした場合は、これら２本の連結ホースの長さが異なってしまうことから２本の連結ホースの流路抵抗が異なり、このため一対のそれぞれの袋体に供給される単位時間当たりのエアーの流量が異なり、これら両袋体が所定の膨脹量に達するまでの時間が異なる。つまり一対の袋体がそれぞれ同じ速さで膨脹しないことから対称位置にある被施療部に同じ押圧力を付与できないことになり良好なマッサージができないという事態が生じる。
【００１０】
【発明が解決しようとする課題】
上述のように従来のマット式エアーマッサージ機は、被供給接続口２１３が、マット部２１０の横方向側縁部に設けられていることから、マット部２１０とエアー供給装置２２０の配置関係が特定されるため使い勝手が悪いという問題があり、また、被供給接続口２１３が横方向側縁部に設けられていることから、マット部２１０に長手方向中心線を対称軸とした対称位置に一対の袋体をそれぞれ振り分けて配設する構成とした場合は、これら袋体のそれぞれを被供給接続口２１３に連結する連結ホースの長さが異なってしまうことに起因して生じる流路抵抗の相違により、それぞれの袋体に供給される単位時間当たりのエアーの流量が異なり、両袋体が同じ速さで膨脹しなくなるため被施療部に同じ押圧力を付与できず良好なマッサージができないという問題がある。
【００１１】
【課題を解決するための手段】
この発明は上記事情に鑑みなされたものであり、請求項１記載の発明は、エアー生成手段を有するとともにエアーホースの一端が接続される供給接続部が設けられたエアー供給装置と、前記エアーホースの他端が接続される被供給接続部が設けられたマット部と、このマット部の内部に配設され前記被供給接続部と連結ホースを介して接続され前記エアー供給装置からのエアーの給排気によって膨縮する袋体とを備え、前記エアー供給装置により前記袋体にエアーを給排気して膨縮させて被施療部をマッサージするマット式エアーマッサージ機において、前記マット部に設けた被供給接続部をマット部の長手方向両側縁部のいずれか一方の略中央部に設け、前記マット部の内部に配設される袋体のうち少なくとも一対の袋体を長手方向中心線を対称軸とする対称位置にそれぞれ振り分けて配設するとともに、これら対称位置に配設された袋体と前記被供給接続部とをそれぞれ連結ホースによって接続し、この接続に用いた一対の前記連結ホースを略同一長さとし、前記略同一長さの連結ホースによって前記被供給接続部と接続された対称位置の前記袋体で、これらの袋体と対応する被施療部を同時に押圧してマッサージすることを特徴とするマット式エアーマッサージ機としたものである。
【００１２】
このように請求項１記載の発明は、マット部に設けた被供給接続部をマット部の長手方向両側縁部のいずれか一方の略中央部に設ける構成としたことから、マット部に対してエアー供給装置をいずれの側にも置くことができるという作用を有するものである。
【００１４】
更に、請求項１記載の発明は、マット部にその長手方向中心線を対称軸とする対称位置に振り分けて配設されたそれぞれの袋体と被供給接続部とを連結するそれぞれの連結ホースでの流路抵抗を略等しくできることから、袋体に供給される単位時間当たりのエアーの流量を略等しくでき、両袋体を同じ速さで膨脹・収縮させることができる。このため、被施療部を同じ大きさの押圧力で押圧できるという作用を有し、したがって良好なマッサージができるものである。
その上、請求項１記載の発明は、マット部にその長手方向中心線を対称軸とする対称位置に振り分けて配設された袋体で、これらの袋体と対応する被施療部を同時に押圧してマッサージすることができる。
【００１５】
【発明の実施の形態】
つぎに、この発明の実施の形態を図１ないし図５に基づいて説明する。図１に示すようにこのマット式エアーマッサージ機（以下エアーマッサージ機という）１は、マット部１０、エアー供給装置３０およびマット部１０とエアー供給装置３０とを接続するエアーホース５０等から構成されている。
【００１６】
そして、前記マット部１０は、図１、図２に示すように内部下面側に設けられた硬質の発泡ウレタンフォーム等からなる長方形状の板状の台部材１２と、この台部材１２の外周表面を覆うカバー１２ａとから構成され、このマット部１０内には図示しない適宜の位置決め手段で位置決めされて、図２に示すように腿用袋体１３、一対の尻用袋体１４、腰用袋体１５、一対の脇腹用袋体１６、背中用袋体１７および首部用袋体１８が配設されている。
【００１７】
そして、前記一対の尻用袋体１４、１４および一対の脇腹用袋体１６、１６は、前記マット部１０の長辺に沿う方向つまり長手方向中心線（不図示）を対称軸とした対称位置にそれぞれ振り分けて配設されている。
【００１８】
また、前記マット部１０の二つの短辺によって形成される二つの側縁部、すなわち長手方向側縁部のうちの一つである下側縁部（使用者がマッサージをするためにマット部１０に仰向け等の姿勢で横たわった際に足部が位置する側縁部）１９ａの略中央部には、被供給接続部としての被供給接続口２０が設けられている。この被供給接続口２０は、図３、図４に示すように肉厚な底壁２１とこの底壁２１に一体に形成された周壁２２とからなる断面長円形状の接続孔２３を有して形成され、この接続孔２３の底壁２１と対向する側は開口２４となっている。また、この開口２４の周縁にはフランジ部２５が形成され、このフランジ部２５を前記マット部１０の前記下側縁部１９ａに適宜な手段によって取り付けられて前記マット部１０に取り付けられているものである。
【００１９】
また、前記底壁２１の裏面側つまり前記開口２４と反対側には、図３および図４に示すように一端側に開口した６個の嵌合孔２６ａないし２６ｆが設けられ他端側にこれら嵌合孔２６ａないし２６ｆに連通するとともに突出させて形成された接続部２７ａないし２７ｆが設けられている。
【００２０】
また、前記腿用袋体１３ないし首部用袋体１８には図２等に示すように連結ホースとしてのエアーホース（以下単にホースという）１３ａないし１８ａの一端側が接続され、これらホース１３ａないし１８ａのうちのホース１３ａおよび１５ａは図４に示すように前記接続部２７ａおよび２７ｂに、ホース１７ａおよび１８ａは接続部２７ｅおよび２７ｆにそれぞれ接続され、また、前記一対のホース１４ａは一本のホース１４ｂに纏められて接続部２７ｃに、また、一対のホース１６ａは一本のホース１６ｂに纏められて接続部２７ｄに接続されている。
【００２１】
そして、前記一対の尻用袋体１４、１４に接続された一対のホース１４ａ、１４ａおよび一対の脇腹用袋体１６、１６に接続された一対のホース１６ａ、１６ａは、尻用袋体１４、１４および脇腹用袋体１６、１６がマット部１０の長手方向中心線を対称軸として対称位置に振り分けて配置されていること、および前記被供給接続口２０がマット部１０の下側縁部１９ａの略中央部に設けられていることから、その長さは略同一長さに設定されている。したがって、被供給接続口２０の接続部２７ｃから両尻用袋体１４、１４までのホース１４ａ、１４ａの流路抵抗は略同一となり、同様に接続部２７ｄから両脇腹用袋体１６、１６までのホース１６ａ、１６ａの流路抵抗は略同一となるものである。このことによって、尻用袋体１４、１４および脇腹用袋体１６、１６にエアー供給装置３０からエアーの供給が開始されると、両尻用袋体１４、１４および両脇腹用袋体１６、１６内に流入するエアーの単位時間当たり流量は等しい量となることから、単位時間当たりに膨脹する割合つまり膨脹する速さも同じくなり被施療部である両尻部および両脇腹を略等しい押圧力で同時に押圧することができるものである。
【００２２】
つぎに、前記エアー供給装置３０について説明する。このエアー供給装置３０は筐体３１（図１参照）、図５に示すように筐体３１内に収納された周知のエアー生成手段としてのエアーコンプレッサー３５、このエアーコンプレッサー３５にエアーホース３５ａを介して接続されエアーを所定の順序で分配するたエアー分配器としてのロータリー弁３６、このロータリー弁３６および前記エアーコンプレッサー３５を制御する制御手段３７等から構成されている。そして、前記ロータリー弁３６の図示しない７個の接続口には、７本のホース３８ａないし３８ｇの一端が接続されている。
【００２３】
また、前記筐体３１の上面部には図１に示すように操作パネル３２が設けられこの操作パネル３２には図示しないが電源スイッチ、各種マッサージモードを設定する複数のモード設定スイッチ、マッサージ時間設定スイッチおよび始動スイッチ等が設けられている。
【００２４】
なお、前記マッサージモードとしては、全身マッサージコース、上半身マッサージコースおよび下半身マッサージコースのコース別モードと、首部、背中部、脇腹部および腰部等の各部分を個別にマッサージするポイントマッサージモード等が備えられているものである。
【００２５】
また、前記エアー供給手段３０の筐体３１の側壁には図１に示すように前記マット部１０に設けた被供給接続口２０に対応する供給接続部としての供給接続口４０が設けられている。この供給接続口４０の構造は前記マット部１０に設けた被供給接続口２０と同一であるのでその説明は省略する。なお、被供給接続口２０の接続部２７ａないし２７ｆに相当する接続部には図５に示すように、前記ロータリー弁３６の図示しない接続口に一端を接続した６本のホース３８ａないし３８ｆの他端が接続されている。
【００２６】
また、前記筐体３１には図１に示すように前記供給接続口４０が設けられた側壁と反対側の側壁には後述する脚部をマッサージするアタッチメントマッサージ機６０に設けた被供給接続口６８に対応する供給接続部としての供給接続口４１が設けられている。この供給接続口４１は図５に示すように前記ロータリー弁３６の図示しない接続口に一端を接続したホース３８ｇの他端が接続されている。
つぎに、前記エアー供給装置３０の供給接続口４０とマット部１０の被供給接続口２０とに接続されるエアーホース５０について説明する。
【００２７】
このエアーホース５０は図２、図５等に示すように６本のエアーホース５１ａないし５１ｆからなるホース群５１と、前記６本のエアーホース５１ａないし５１ｆの一端側を接続した第一の接続部５２と他端側に接続された第二の接続部５６とから構成されている。そして、前記第一の接続部５２は前記マット部１０に設けた被供給接続口２０に接続されるものであり、また、第二の接続部５６は前記エアー供給装置３０に設けた供給接続口４０に接続されるものである。また、前記第一の接続部５２と第二の接続部５６とは同一の構造となっていることから、ここでは第一の接続部５２について説明し、第二の接続部５６についてはその説明は省略する。
【００２８】
前記第一の接続部５２は、その軸方向と直交する断面形状は前記マット部１０に設けた供給接続口２０の接続孔２３の軸方向と直交する断面形状より僅かに小さい相似形に形成されて前記接続孔２３に挿脱可能となっており、また、この第一の接続体５２には図３、図４に示すように直線状に配列されるとともに一体的に設けられた６本の接続管５３ａないし５３ｆがその先端部を接続部５２の端面から突出させて設けられており、この接続管５３ａないし５３ｆの基部は図示しないが前記６本のエアーホース５１ａないし５１ｆの一端側に接続されているものである。そして、前記第一の接続部５２を前記接続孔２３に挿入して接続した状態では、図４に示すように前記接続管５３ａないし５３ｆは前記底壁２１に設けられた嵌合孔２６ａないし２６ｆに気密状態で嵌合するようになっている。
【００２９】
そして、前記第一の接続部５２および第二の接続部５６を前記被供給接続口２０の接続孔２３および供給接続口４０の図示しない接続孔に挿入することによりエアー供給装置３０とマット部１０とはエアーホース５０によって接続されるものである。
【００３０】
つぎに、前記アタッチメントマッサージ機６０について説明する。このアタッチメントマッサージ機６０は図１に示すように、内部を中空としたベース部６１とこのベース部６１に配設された脚部用袋体６６とから構成されており、前記ベース部６１は図１に示すように平面長方形状に形成されるとともに上面側に平行に形成された一対の凹溝部６２が設けられており、また、この凹溝部６２と平行な一方の側壁には前記被供給接続口６８が設けられている。この被供給接続口６８および前記エアー供給装置３０に設けた供給接続口４１は、それぞれ図１、図５に示すようにエアーホース６７の第一の接続部６７ａおよび第二の接続部６７ｂをそれぞれ挿入することによりこのエアーホース６７で接続され、このエアーホース６７を介して前記脚部用袋体６６にエアーを給排気して脚部つまりふくらはぎ部をマッサージするようになっているものである。
【００３１】
なお、前記脚部用袋体６６は、前記凹溝部６２に図示しないホック等の取付具によって取り付けられ布等により形成され互いに対向する収納部６５に収納されて前記ベース部６１に配設されているものである。
【００３２】
また、前記それぞれの収納部６５に収納されたそれぞれの脚部用袋体６６には図５に示すように連結ホースとしてのホース６７ａないし６７ｄの一端側が接続され、これら４本のホースの他端側は一本のホース６７ｅに纏められ、このホース６７ｅは前記被供給接続口６８に接続されている。
【００３３】
つぎに、上記のように構成されたエアーマッサージ機の制御構成および制御について、図５に示す制御ブロック図に基づいて説明する。
【００３４】
図５に示すように制御手段３７には、メモリー手段からなるマッサージモード記憶手段７０が接続されており、このマッサージモード記憶手段７０には上述した全身マッサージコース、上半身マッサージコースおよび下半身マッサージコースのコース別動作モードと、首部、背中部、脇腹部および腰部等の各部分を個別にマッサージするポイントマッサージ動作モード等の各種マッサージモードが設定されている。また、制御手段３７は前記エアーコンプレッサー３５およびロータリー弁３６を制御するようになっている。
【００３５】
また、制御手段３７には前記操作パネル３２に設けた各種マッサージモードを設定する複数のモード設定スイッチ、マッサージ時間設定スイッチ、始動スイッチからの出力が入力されるようになっており、これらモード設定スイッチから所定のマッサージモードおよびマッサージ時間が設定されると、制御手段３７はこのマッサージモードによって定められた順序にしたがって、前記マット部１０内に配設された腿用袋体１３ないし首部用袋体１８およびアタッチメントマッサージ機６０が同時に使用れる場合は、このアタッチメントマッサージ機６０の各脚部用袋体６６にエアーを給排気して膨縮させるようにエアーコンプレッサー３５およびロータリー弁３６を前記マッサージ時間の間動作させるように制御するものである。
【００３６】
つぎに、上記エアーマッサージ機１の動作について説明する。まず、マット部１０のみを使用する場合について説明する。
【００３７】
まず、使用者は、エアー供給装置３０とマット部１０とをエアーホース５０によって接続し電源スイッチを閉成し、ついで前記各種マッサージモードのなかから所望のマッサージモードをモード設定スイッチにより設定し、また、マッサージ時間をマッサージ時間設定スイッチにより設定した後図示しない始動スイッチを閉成する。この始動スイッチが閉成されると、制御手段３７は前記設定されたマッサージモードを前記マッサージモード記憶手段７０から読みだし、このマッサージモードを実行しこのマッサージモードによって定められている袋体に所定の順序でエアーの給排気をするようにエアーコンプレッサー３５およびロータリー弁３６を駆動させるとともに前記設定時間が経過したときエアーコンプレッサー３５およびロータリー弁３６を停止させるように制御する。
【００３８】
そして、使用者が選択したマッサージモードに前記一対の尻用袋体１４、１４あるいは一対の脇腹用袋体１６、１６を膨縮させて尻部および脇腹をマッサージする内容が含まれていると、前記一対の尻用袋体１４、１４あるいは一対の脇腹用袋体１６、１６には、エアーの給排気がされて尻部および脇腹のマッサージがされる。そして、一対の尻用袋体１４、１４あるいは一対の脇腹用袋体１６、１６にエアーの給排気がされる場合、上述したように尻用袋体１４、１４および脇腹用袋体１６、１６に接続されている連結ホース１４ａ、１４ａおよび１６ａ、１６ａの長さは略同一長さであることからその流路抵抗は略同一であるため、各袋体１４、１４あるいは１６、１６に供給および排気の際のエアーの流量は略同一になることから、一対の尻用袋体１４、１４あるいは一対の脇腹用袋体１６、１６の膨脹する速さおよび収縮する速さは略同じである。したがって、両尻部および両脇腹は略同じ押圧力によって押圧されることから、一方側が強く他方側が弱い押圧力によって押圧されることがなく良好なマッサージができるものである。
【００３９】
なお、アタッチメントマッサージ機６０を併用つまり同時に使用する場合は、このアタッチメントマッサージ機６０の被供給接続口６８とエアー供給装置３０の供給接続口４１とをエアーホース６７で接続するとともに、前記マット部１０の下方側つまり脚部を位置させる部位に配置し、また、前記モード設定スイッチによりアタッチメントマッサージ機６０を動作させるモードを設定し、ついで前記互いに対向する脚部用袋体６６、６６の間に脚部を位置させ、始動スイッチを閉成することによってなされるものである。
【００４０】
上述のように上記マット式マッサージ機１は、マット部１０に設けた被供給接続口２０をマット部１０の長手方向下側縁部の略中央部に設けたことから、マット部１０に対してエアー供給装置３０をいずれの方向にも置くことができることからその使い勝手がよいものである。
【００４１】
また、マット部１０の内部に長手方向中心線を対称軸とする対称位置に尻用袋体１４、１４および脇腹用袋体１６、１６を振り分けて配設するとともに、これら対称位置に配設された尻用袋体１４、１４および脇腹用袋体１６、１６と前記被供給接続口２０とを連結ホース１４ａと１４ａの長さおよび１６ａと１６ａの長さは被供給接続口２０が下側縁部の中央部に設けられていることからその長さを略等しくすることができるため、その流路抵抗を略等しくできることから袋体１４および１６に供給される単位時間当たりのエアーの流量を略等しくでき、袋体１４と１４および袋体１６と１６とを同じ速さで膨脹収縮させることができるため被施療部に同じ押圧力を付与でき、したがって、良好なマッサージができるものである。
【００４２】
なお、上記実施の形態においては、マット部１０に設けた被供給接続口２０はマット部の下側縁部１９ａに設ける構成としたが、これは上側縁部つまり使用者がマット部１０に身体を横たえた際に頭部が位置する側縁部に設ける構成としてもよいものであるが、上記実施の形態のように下側縁部１９ａに設ける構成とした場合は、エアーホース５０およびエアー供給装置３０を足側につまり頭部から離れた位置に配置できることからエアー供給装置３０から発生する騒音等の影響を受けにくいという利点がある。
【００４３】
【発明の効果】
上記のように請求項１記載の発明は、マット部に設けた被供給接続部をマット部の長手方向両側縁部のいずれか一方の略中央部に設ける構成としたことから、マット部に対してエアー供給装置をいずれの側にも置くことができることから使い勝手がよいという効果を有するものである。
【００４４】
更に、請求項１記載の発明は、前記マット部の内部に配設される袋体のうち少なくとも一対の袋体を長手方向中心線を対称軸とする対称位置にそれぞれ振り分けて配設するとともに、これら対称位置に配設された袋体と前記被供給接続部とをそれぞれ連結ホースによって接続し、この接続に用いた一対の前記連結ホースを略同一長さとしたから、マット部にその長手方向中心線を対称軸とする対称位置に振り分けて配設された袋体と被供給接続部とを連結するそれぞれの連結ホースでの流路抵抗を略等しくできる。このことから、袋体に供給される単位時間当たりのエアーの流量を略等しくでき、袋体を同じ速さで膨脹・収縮させることができるため被施療部を同じ大きさの押圧力で押圧して良好なマッサージができるという効果を有するものである。
しかも、請求項１記載の発明は、マット部にその長手方向中心線を対称軸とする対称位置に振り分けて配設された袋体で、これらの袋体と対応する被施療部を同時に押圧してマッサージすることができるという効果を有するものである。
【図面の簡単な説明】
【図１】本発明の実施の形態のマット式エアーマッサージ機の全体斜視図。
【図２】上記実施の形態のマット部の一部を断面した平面図。
【図３】上記実施の形態のマット部の被供給接続部とエアーホースの接続部との関係を示す分解斜視図。
【図４】上記実施の形態のマット部の被供給接続部の断面図。
【図５】上記実施の形態のエアーマッサージ機の制御ブロック図。
【図６】従来のエアーマッサージ機の全体斜視図。
【符号の説明】
１                マット式エアーマッサージ機
１０              マット部
１３〜１８        袋体
１３ａ〜１８ａ    ホース（連結ホース）
２０              被供給接続口（被供給接続部）
３０              エアー供給装置
３５              エアーコンプレッサー（エアー生成手段）
３７              制御手段
５０              エアーホース
５２              エアーホースの第一の接続部
５６              エアーホースの第二の接続部
【図１】
0003657731.tif 000002
【図２】
0003657731.tif 000003
【図３】
0003657731.tif 000004
【図４】
0003657731.tif 000005
【図５】
0003657731.tif 000006
【図６】
0003657731.tif 000007